(57)【特許請求の範囲】
【請求項１】
あて先アドレスがビット単位で割り当てられ、あて先が複数であるか否かを示すビットを有する光パケットから、当該光パケットのあて先アドレスを認識する認識手段と、
前記光パケットを複数に分岐する光分岐手段と、
前記認識手段による認識結果に基づいて、前記分岐された各光パケットを外部へ送信するか破棄するかを選択する選択手段と、を備え、
前記光パケットは、あて先アドレス部と、送信元アドレス部とが設けられており、
前記あて先アドレス部は、あて先アドレスを示す各ビットと、あて先が複数であることを示すビットの組み合わせにより構成され、
前記送信元アドレス部は、前記光パケットの送信元アドレスを示す各ビットにより構成され、
前記認識手段は、
前記あて先アドレスを示す各ビット及び前記送信元アドレスを示す各ビットのうち自身に関係するビットのみを読み込み、前記あて先アドレス及び前記送信元アドレスを認識することを特徴とする中継器。
【請求項２】
請求項１に記載の中継器を所定のネットワーク上に設け、当該中継器により前記光パケットを伝送する光通信システム。
【請求項３】
前記中継器は、リング型ネットワーク上に複数設けられていることを特徴とする請求項２に記載の光通信システム。
【請求項４】
前記複数の中継器のうち、外部ネットワークから転送された前記光パケットを受信して前記リング型ネットワークの入口となった中継器は、
前記光パケットが前記リング型ネットワークを一周して帰還した際、前記認識手段により前記送信元アドレスは自身に接続された外部ネットワークのアドレスであることを認識すると、前記選択手段により前記光パケットの破棄を選択することを特徴とする請求項３に記載の光通信システム。
【請求項５】
前記複数の中継器の相互間は二重の光伝送路により接続され、
前記各中継器は、
自身に接続された光伝送路における伝送状態に応じて、前記光パケットの光伝送路を選択することを特徴とする請求項３又は４に記載の光通信システム。
【発明の詳細な説明】
【技術分野】
【０００１】
本発明は、光パケットの伝送を中継する中継器と、中継器により光パケットを伝送する光通信システムに関する。
【背景技術】
【０００２】
近年、光信号によってデータ通信を行う光通信システムが普及している。このような光通信システムにおいて、電気信号によるデータ通信と同様に、パケット通信が行われつつある（例えば、特許文献１参照。）。データ通信におけるパケット通信とは、データをパケットと呼ばれる小さな塊に分けて送受信を行う通信のことである。
【０００３】
図１０を参照して、従来の中継器による光パケットのスイッチングについて説明する。図１０において、光パケットＰ１が光伝送路２００（例えば、光ファイバ等の光導波路）によって伝送され、中継器２０１に入力される。中継器２０１は、光パケットＰ１のヘッダ部に含まれるあて先アドレス、送信元アドレスを参照して、光パケットＰ１を伝送する経路を選択する。中継器２０１は、例えば、光伝送路２０５を選択して後段の中継器２０３に光パケットＰ２を出力する。このように、光パケットの行き先制御、即ち、経路のスイッチングを行う中継器は、ネットワークスイッチと呼ばれる。
【０００４】
図１１に、従来の中継器の構成を示す。以下では、従来の中継器の一例として、光伝送路２００、２０４、２０５が接続されている中継器２０１について説明する。中継器２０１は、光ポート２０６、２０７、２０８、パケット処理部２０９、記憶部２１０により構成される。パケット処理部２０９は、ＣＰＵ（Central Processing Unit）やＡＳＩＣ（Application Specific Integrated Circuit）により構成され、記憶部２１０は、例えば、ＲＡＭ（Random Access Memory）等により構成される。光ポート２０６、２０７、２０８は、それぞれ、光伝送路２００、２０４、２０５に接続される。パケット処理部２０９は、各光ポートと相互に接続され、記憶部２１０は、パケット処理部２０９と相互に接続される。
【０００５】
光ポート２０６は、光伝送路２００によって伝送された光パケットＰ１を電気信号のパケットに変換し、パケット処理部２０９に出力する。パケット処理部２０９は、電気信号に変換されたパケットのヘッダ部に含まれるあて先アドレス（及び必要に応じて送信元アドレス）に基づいて、転送先の光ポートを選択する。
【０００６】
なお、パケット処理部２０９が、一旦、記憶部２１０にパケットを格納してから、転送先の光ポートに当該パケットを転送する場合や、記憶部２１０にパケットを格納することなく、直接パケットを光ポートに転送する場合もある。図１１に示した例では、パケット処理部２０９が、光伝送路２０５に接続される光ポート２０８を選択し、この光ポート２０８に電気信号のパケットを転送する例を示している。光ポート２０８は、電気信号のパケットを光信号のパケット（光パケットＰ２）に変換し、光伝送路２０５に光パケットＰ２を出力する。このように、光パケットは、中継器によって選択された光伝送路に転送される。
【０００７】
次に、図１２を参照して、一つの光パケットを複数の光伝送路に転送する光通信システムについて説明する。一つの光パケットを複製し、同一内容の光パケットを複数の光伝送路に転送することにより、１対多通信を効率良く行うことが可能である。接続されている全ての光伝送路に光パケットを転送することを「ブロードキャスト」と呼び、接続されている全ての光伝送路の中から、複数の特定の光伝送路を選択し、選択された光伝送路のみに光パケットを転送することを「マルチキャスト」と呼ぶ。図１２では、光パケットＰ１が中継器２０１において複製され、同一内容の光パケットＰ２、Ｐ３が、それぞれ、光伝送路２０５、２０４に転送される場合を示している。
【０００８】
次に、図１３を参照して、光パケットＰ１を光伝送路２０４及び光伝送路２０５に転送する場合の中継器２０１内の動作について説明する。
【０００９】
光伝送路２００によって中継器２０１に伝送された光パケットＰ１は、光ポート２０６により電気信号のパケットに変換され、パケット処理部２０９に出力される。パケット処理部２０９では、電気信号に変換されたパケットのヘッダ部に含まれるあて先アドレス（及び必要に応じて送信元アドレス）に基づいて、転送先の光ポートが選択される。電気信号化されたパケットは、図１３に示すように、記憶部２１０に蓄積されてから、光伝送路２０４、光伝送路２０５にそれぞれ接続された光ポート２０７、光ポート２０８へ転送される。
【００１０】
光ポート２０７では、電気信号のパケットが光信号のパケット（光パケットＰ３）に変換され、光伝送路２０４に光パケットＰ３が出力される。光ポート２０８では、電気信号のパケットが光信号のパケット（光パケットＰ２）に変換され、光伝送路２０５に光パケットＰ２が出力される。このように、光パケットは、中継器によって複数の光伝送路へと転送される。
【特許文献１】特開２００３−０６９４９５公報
【発明の開示】
【発明が解決しようとする課題】
【００１１】
図１１及び図１３に示すように、従来の中継器では、パケット処理部２０９、記憶部２１０が電気処理によってパケット処理を行うため、光ポートにおいて、光信号から電気信号への変換と、電気信号から光信号への変換が必須であった。これにより、以下のような問題点があった。
【００１２】
電気処理の速度は、光通信における速度に比べると遥かに低速であるため、光信号である光パケットを低速な電気信号に変換して電気処理をすることによって遅延が発生してしまう。従って、光パケットが複数の中継器を通過する場合、中継器毎に遅延が発生するため、中継にかかる時間が長くなり、光通信システム全体として大幅な遅延が発生してしまうという問題があった。
【００１３】
このような問題を回避するため、光通信の伝送速度に追従できるような電気処理を達成しようとすると、電気処理を行う回路や機材が著しく大規模化するため、実用化するのが極めて困難である。また、ブロードキャストやマルチキャストの場合、パケット処理部２０９において、単一のパケットを複数のパケットに複製するため、パケット処理部２０９にかかる負荷が増大してしまうという問題もある。
【００１４】
本発明の課題は、中継器の回路規模を増大させずに、高速な光通信を実現することである。
【課題を解決するための手段】
【００１５】
上記課題を解決するため、請求項１に記載の発明は、あて先アドレスがビット単位で割り当てられ、あて先が複数であるか否かを示すビットを有する光パケットから、当該光パケットのあて先アドレスを認識する認識手段と、
前記光パケットを複数に分岐する光分岐手段と、
前記認識手段による認識結果に基づいて、前記分岐された各光パケットを外部へ送信するか破棄するか選択する選択手段と、を備え、
前記光パケットは、あて先アドレス部と、送信元アドレス部とが設けられており、
前記あて先アドレス部は、あて先アドレスを示す各ビットと、あて先が複数であることを示すビットの組み合わせにより構成され、
前記送信元アドレス部は、前記光パケットの送信元アドレスを示す各ビットにより構成され、
前記認識手段は、
前記あて先アドレスを示す各ビット及び前記送信元アドレスを示す各ビットのうち自身に関係するビットのみを読み込み、前記あて先アドレス及び前記送信元アドレスを認識することを特徴としている。
【００１６】
請求項２に記載の光通信システムは、請求項１に記載の中継器を所定のネットワーク上に設け、当該中継器により前記光パケットを伝送することを特徴としている。
【００１７】
請求項３に記載の発明は、請求項２に記載の光通信システムにおいて、前記中継器は、リング型ネットワーク上に複数設けられていることを特徴としている。
【００１８】
請求項４に記載の発明は、請求項３に記載の光通信システムにおいて、前記複数の中継器のうち、外部ネットワークから転送された前記光パケットを受信して前記リング型ネットワークの入口となった中継器は、
前記光パケットが前記リング型ネットワークを一周して帰還した際、前記認識手段により前記送信元アドレスは自身に接続された外部ネットワークのアドレスであることを認識すると、前記選択手段により前記光パケットの破棄を選択することを特徴としている。
また、請求項５に記載の発明は、請求項３又は４に記載の光通信システムにおいて、前記複数の中継器の相互間は二重の光伝送路により接続され、
前記各中継器は、
自身に接続された光伝送路における伝送状態に応じて、前記光パケットの光伝送路を選択することを特徴としている。
【発明の効果】
【００１９】
本発明によれば、単純なアドレス構造を有する光パケットからあて先アドレスを認識し、分岐手段により光パケットを分岐し、その分岐された各光パケットを、前記認識されたあて先アドレスに対応する伝送路に転送することにより、中継器でのパケット処理を全て電気処理で行う必要がなく、中継器の回路規模を増大させずに高速な光通信を実現することが可能となる。
【発明を実施するための最良の形態】
【００２０】
以下、図面を参照して、本発明の実施形態を説明する。
【００２１】
[ブロードキャスト]
まず、図１〜図３を参照して、リング型ネットワークを例にして、光パケットネットワークにおけるブロードキャストについて説明する。
【００２２】
図１に、本発明の実施形態における光通信システム１Ｓの構成と、ブロードキャストにおける光パケットの流れ（図中の実線の矢印）を示す。光通信システム１Ｓは、図１に示すように、リング型ネットワーク１００上に複数の中継器１〜４を備えており、中継器１〜４には、それぞれ、ネットワークＮ１〜Ｎ４が接続されている。なお、図１では、本実施形態における記述を簡略化するため、４台の中継器から構成される光通信システム１Ｓを示したが、光通信システム１Ｓを構成する中継器の台数は限定されない。
【００２３】
ネットワークＮ１で生成された光パケットは、光伝送路５により中継器１を経由して、リング型ネットワーク１００に転送される。この光パケットは、中継器１により光伝送路６を通過し、中継器２に到達する。中継器２では、光パケットが複製され、光伝送路７及び光伝送路８に転送される。光伝送路７に転送された光パケットは、ネットワークＮ２に到達し、光伝送路８に転送された光パケットは、中継器３に到達する。中継器３においても、光パケットが複製され、光伝送路９及び光伝送路１０に転送される。光伝送路９に転送された光パケットは、ネットワークＮ３に到達し、光伝送路１０に転送された光パケットは、中継器４に到達する。以後、同様に、中継器４において光パケットが複製され、光伝送路１１に転送されてネットワークＮ４に到達するとともに、光伝送路１２に転送されて、リング型ネットワーク１００の入り口となった中継器１に帰還する。
【００２４】
リング型ネットワーク１００の入り口となった中継器１に帰還した光パケットは、中継器１において破棄される。中継器１によって光パケットが破棄されない場合、この光パケットは、再度、リング型ネットワーク１００を周回し、永遠に周り続けてしまうため、中継器１による光パケットの破棄は必要な処理である。
【００２５】
図２に、光通信システム１Ｓを構成する中継器の内部構成を示す。図２では、中継器２の内部構成を示しているが、光通信システム１Ｓを構成する各中継器の内部構成は同一である。中継器２は、図２に示すように、アドレス認識回路２０、光スプリッタ２１、光スイッチ２２、光スイッチ２３により構成される。
【００２６】
アドレス認識回路２０は、光パケットのヘッダ部から、あて先アドレスを認識し、認識結果に基づく制御信号を光スイッチ２２及び２２に出力する。このあて先アドレスには、光パケットのあて先が複数であるか否か（ブロードキャスト、マルチキャスト、ユニキャスト）を示すビットが含まれている（図５参照、後述）。
【００２７】
光スプリッタ２１は、入力された光パケットを複数（図２では２つ）に分岐することによって、全く同一の光パケットを複製する。光スプリッタ２１で複製された２つの光パケットは、それぞれ、光スイッチ２２、光スイッチ２３に出力される。
【００２８】
光スイッチ２２、２３は、アドレス認識回路２０で認識されたあて先アドレスにより、複製された光パケットの伝送路を選択する。
【００２９】
次に、ブロードキャストにおける中継器２における動作について説明する。
中継器２に光パケットが入力されると、アドレス認識回路２０により、当該光パケットがブロードキャストによる伝送であると認識され、認識結果が制御信号として光スイッチ２２及び２３に出力される。また、中継器２に入力された光パケットは、光スプリッタ２１により２つに分岐され、光スイッチ２２及び２３に出力される。
【００３０】
ブロードキャストの場合、光スイッチ２２では光伝送路２４が選択され、光スプリッタ２１で複製された光パケットが光伝送路２４に転送されるとともに、光スイッチ２３では光伝送路２５が選択され、複製された光パケットが光伝送路２５に転送される。光伝送路２４に転送された光パケットは、光伝送路８を通って中継器３に到達する。光伝送路２５に転送された光パケットは、光伝送路７を通ってネットワークＮ２に到達する。なお、中継器３、４における動作も、中継器２と同様である。
【００３１】
以上のような動作により、ブロードキャストの光パケットは、光電変換されることなく各中継器を通過し、各中継器に接続されている複数の光伝送路の全てに転送される。
【００３２】
次に、図３を参照して、中継器１における光パケットの破棄処理について説明する。
光パケットがリング型ネットワーク１００を循環し続けてしまわないように、リング型ネットワーク１００の入り口となった中継器１によって、帰還した光パケットが破棄される。
【００３３】
光伝送路１２から中継器１に入力された光パケットは、アドレス認識回路１０１により、中継器１がリング型ネットワーク１００の入り口であると判定され、この判定結果に基づく制御信号が光スイッチ１０３、１０４に出力される。また、光伝送路１２から中継器１に入力された光パケットは、光スプリッタ１０２により２つに分岐され、それぞれ、光スイッチ１０３、光スイッチ１０４に出力される。
【００３４】
アドレス認識回路１０１からの制御信号により、光スイッチ１０３では光伝送路１０５が選択され、光スプリッタ１０２で複製された光パケットが光伝送路１０５に転送される。一方、光スイッチ１０４では光伝送路１０６が選択され、光スプリッタ１０２で複製された光パケットが光伝送路１０６に転送される。光伝送路１０５に転送された光パケットは破棄され、光伝送路１０６に転送された光パケットも破棄される。以上のような動作により、リング型ネットワーク１００内を一周したブロードキャストの光パケットは、中継器１において破棄される。
【００３５】
以上のような流れにより、リング型ネットワーク１００内をブロードキャストの光パケットが光信号のまま一周し、光通信システム１Ｓの全ての中継器に接続されているネットワークに転送されたことになる。また、光パケットは低速な電気処理が施されないため、高速で低遅延なブロードキャストを実現することが可能となる。
【００３６】
[マルチキャスト]
次に、図４〜図６を参照して、リング型ネットワークを例にして、光パケットネットワークにおけるマルチキャストについて説明する。
【００３７】
図４に、マルチキャストにおける光パケットの流れ（図中の実線の矢印）の一例を示す。図４では、光パケットのあて先としてネットワークＮ４が含まれていない場合が示されている。図５に、光パケットのヘッダ部分を詳細に示す。
【００３８】
図５に示すように、光パケットのヘッダ部分には、先頭部（先頭ビット）から所定ビット数離れた位置に、あて先アドレス部と、送信元アドレス部が設けられている。あて先アドレス部、送信元アドレス部の各々はｎ＋１ビットあり、あて先アドレス部は、ビット単位であて先アドレスが割り当てられており、送信元アドレス部は、ビット単位で送信元アドレスが割り当てられている。
【００３９】
あて先アドレス部の「アドレス０」は、光パケットのあて先が複数であるか否かを表し、アドレス１〜ｎは、各あて先アドレスを示す。「アドレス０」のビットの値が“１”の場合、マルチキャスト又はブロードキャスト（あて先が複数）を表し、「アドレス０」のビットの値が“０”の場合、ユニキャスト（あて先が一つ）を表す。あて先アドレス部のアドレス１〜ｎにおいて、ビットの値が“１”である場合、あて先アドレスが指定されていることを表し、ビットの値が“０”である場合、あて先アドレスが指定されていないことを表す。また、送信元アドレス部の各アドレスのうち、ビットの値が“１”であるアドレスが送信元アドレスである。
【００４０】
アドレス１をネットワークＮ１、アドレス２をネットワークＮ２、アドレス３をネットワークＮ３、アドレス４をネットワークＮ４とした場合、図５は、光パケットの送信元がネットワークＮ１で、あて先がネットワークＮ２及びＮ３のマルチキャストであることを示している。図５に示すようなアドレス構造により、マルチキャストの場合、マルチキャストであることを示すビット（アドレス０）の値と、あて先に対応するビットの値を“１”とすることにより、特定多数を表すアドレスを容易に指定することができる。従って、各中継器は、あて先アドレス部及び送信元アドレス部の全ビットを読み込む必要がなく、自身に関係するビットのみを読み込めばよいため、光パケットの転送処理を高速に行うことができる。なお、ブロードキャストの場合、あて先アドレス部におけるアドレス１〜ｎのビットの値は、全て“１”とすればよい。
【００４１】
次に、マルチキャストの例として、図５に示すヘッダ構造を有する光パケットの転送処理について説明する。
【００４２】
ネットワークＮ１で生成された光パケットは、中継器１を経由してリング型ネットワーク１００に転送される。この光パケットは、中継器１により光伝送路６を通過し、中継器２に到達する。中継器２では、光パケットが複製され、複製された光パケットは光伝送路７及び８に転送される。光伝送路７に転送された光パケットはネットワークＮ２に到達し、光伝送路８に転送された光パケットは中継器３に到達する。中継器３では、到達した光パケットが複製され、複製された光パケットは光伝送路９及び１０に転送される。光伝送路９に転送された光パケットはネットワークＮ３に到達し、光伝送路１０に転送された光パケットは中継器４に到達する。
【００４３】
図５に示すあて先アドレス部によると、光パケットのあて先にネットワークＮ４が含まれていないため（即ち、アドレス４のビットの値が“０”）、中継器４により、光パケットは光伝送路１２に転送されるが、光伝送路１１には転送されず、ネットワークＮ４に到達しない。リング型ネットワーク１００を一周した光パケットは、リング型ネットワーク１００の入り口となった中継器１に帰還する。中継器１では、送信元アドレスが自分自身に接続されたネットワークＮ１（即ち、送信元アドレス部におけるアドレス１のビットの値が“１”）であることが確認されると、帰還した光パケットは、次の中継器には転送されず、中継器１において破棄される。
【００４４】
次に、図６を参照して、図５に示すヘッダ構造を有する光パケットを、中継器４において次の中継器１へ転送する処理について説明する。光パケットのあて先に含まれていないネットワークＮ４に接続されている中継器４では、光伝送路１０から入力された光パケットを、ネットワークＮ４には転送せず、後段の中継器１に接続された光伝送路１２のみに転送する。
【００４５】
光伝送路１０から中継器４に光パケットが入力されると、アドレス認識回路４０において、光パケットのヘッダ部から、ネットワークＮ４が光パケットのあて先に含まれていないと認識（判定）され、この認識結果（判定結果）に基づいた制御信号が光スイッチ４２、光スイッチ４３に出力される。
【００４６】
アドレス認識回路４０からの制御信号により、光スイッチ４２では光伝送路４４が選択され、光スイッチ４３では光伝送路４５が選択される。このとき、中継器４に入力された光パケットは、光スプリッタ４１において２つに分岐され、分岐された２つの光パケットは、それぞれ、光スイッチ４２、光スイッチ４３に出力される。
【００４７】
光スイッチ４２では、入力された光パケットが光伝送路４４に転送され、光スイッチ４３では、入力された光パケットが光伝送路４５に転送される。光伝送路４４に転送された光パケットは、光伝送路１２を通過して中継器１に到達する。一方、光伝送路４５に転送された光パケットは破棄される。
【００４８】
以上のような動作により、中継器４において、入力された光パケットが、光電変換されることなく中継器１のみに転送され、中継器４に接続されたネットワークＮ４には転送されない。
【００４９】
以上の流れにより、リング型ネットワーク１００内をマルチキャストの光パケットが光信号のまま一周し、あて先アドレス部で指定されたネットワークのみへ転送されたことになる。また、マルチキャストの光パケットは低速な電気処理が施されないため、高速で低遅延なマルチキャストを実現することが可能となる。
【００５０】
本実施形態の中継器及び光通信システムによれば、単純なアドレス構造を有する光パケットからあて先アドレスを認識し、光スプリッタで分岐された各光パケットを、認識されたあて先アドレスに対応する光伝送路に転送することにより、中継器でのパケット処理を従来のように全て電気処理で行う必要がなく、高速なブロードキャスト、マルチキャストを実現することが可能となる。
【００５１】
即ち、光パケットに対する光電変換を行わない中継器又は最小限の電気処理のみを行う中継器における遅延要素は、中継器内部に存在する光伝送分のみであるため、その遅延時間は、光パケットを光電変換する従来の中継器よりも遥かに短縮されることになる。従って、中継器１台あたりの転送遅延が短縮されるため、複数台の中継器を経由しても、光通信システム全体としての遅延時間は大幅に短縮される。
【００５２】
また、光パケットを光電変換する従来の中継器のような大規模な電気回路を搭載させる必要がなくなくなる。更に、光パケットにおけるブロードキャストやマルチキャストを表すアドレス構造を単純化することにより、アドレス認識回路の回路規模を縮小させるとともに、回路動作を高速化させることが可能となる。
【００５３】
[二重化されたリング型ネットワーク]
次に、図７〜図９を参照して、二重化されたリング型ネットワーク３００について説明する。
【００５４】
図１及び図４では、光伝送路６、８、１０、１２から構成される単一のリング型ネットワークを示したが、リング型ネットワークの耐障害性を向上させるため、図７に示すように、光伝送路１３、１４、１５、１６から構成される経路を追加することにより、リング型ネットワークを二重化することが可能である。
【００５５】
以下、図８に示すように、リング型ネットワーク３００の光伝送路１２において断線が発生した場合の光パケットの転送処理について説明する。図１に示すようなリング型ネットワーク１００において、光伝送路１２の断線が発生すると、光パケットの経路が分断されてしまい、障害が発生していない部分の通信が途絶えてしまう。これに対し、二重化されたリング型ネットワーク３００では、光伝送路１２の断線や、特定の中継器の故障等が発生した場合、障害箇所のみを経路から切り離し、障害が発生していない箇所同士で通信を続行することが可能である。
【００５６】
光伝送路１２で断線が発生した場合、光伝送路１２を光パケットの経路から切り離し、光伝送路１４、１５、１６を使用することにより、中継器１ａ→光伝送路６→中継器２ａ→光伝送路８→中継器３ａ→光伝送路１０→中継器４ａ→光伝送路１４→中継器３ａ→光伝送路１５→中継器２ａ→光伝送路１６→中継器１ａという新しい経路を有するリング型ネットワークを構築することができる。このような新しいリング型ネットワークを構築することにより、障害が発生した光伝送路を排除しつつ、障害が発生していない光伝送路と中継器を接続することが可能となる。
【００５７】
図９に、リング型ネットワーク３００上に設けられた中継器の一例として、中継器４ａの内部構成を示す。図９において、図６に示した中継器４（リング型ネットワーク１００上の中継器）と同一の構成要素には同一の符号を付し、その機能説明を省略する。
【００５８】
二重化制御回路４６は、中継器４ａに接続された光伝送路における伝送状態に応じて、光スイッチ４７、４８に制御信号を出力する。例えば、二重化制御回路４６は、光伝送路１２の断線を検知すると、光スイッチ４７に対し、光パケットの経路の折り返しを指示する制御信号を出力する。
【００５９】
光伝送路の断線、中継器の故障等を検知する方法としては、光伝送路に試験用光パケットを流し、その試験用光パケットの到達を監視することなどが考えられる。また、リング型ネットワーク３００とは別の管理用ネットワークを別途用意し、その管理用ネットワークを通じてリング型ネットワーク３００の状態を監視、伝達することにより、光伝送路の断線、中継器の故障等を検知することも可能である。
【００６０】
光スイッチ４７は、二重化制御回路４６からの制御信号に従って、光伝送路４４から転送された光パケットの伝送路を選択する。光スイッチ４８は、二重化制御回路４６からの制御信号に従って、光伝送路１３から転送された光パケットの伝送路を選択する。
【００６１】
光カプラ４９は、光スイッチ４７から光伝送路５１を通して転送された光パケットと、光スイッチ４８から入力された光パケットを合成して光伝送路１４に転送する。光カプラ５０は、中継器３ａから光伝送路１０を通して転送された光パケットと、光スイッチ４８から光伝送路５２を通して転送された光パケットを合成し、アドレス認識回路４０及び光スプリッタ４１に出力する。
【００６２】
光伝送路１２で断線が発生した場合、二重化制御回路４６から光スイッチ４７に、経路の折り返しを指示する制御信号が出力され、光スイッチ４７では、当該制御信号に従って光伝送路５１が選択され、光パケットが光伝送路５１に転送される。このような動作により、光伝送路１０から中継器４ａに転送された光パケットの経路は、中継器４ａにおいて折り返され、当該光パケットは光伝送路１４を通って中継器３ａに転送される。
【００６３】
以上のように、二重化されたリング型ネットワーク３００によると、光伝送路の断線、中継器の故障等の不具合が発生した場合、正常な光伝送路を用いて光パケットの経路を確保し、確実に光パケットを伝送することが可能となる。
【図面の簡単な説明】
【００６４】
【図１】ブロードキャストにおける光パケットの流れを示す図。
【図２】本発明の実施形態に係る中継器の内部構成と、当該中継器からネットワーク及び次の中継器への光パケットの転送動作を示す図。
【図３】本実施形態に係る中継器における光パケットの破棄動作を示す図。
【図４】マルチキャストにおける光パケットの流れを示す図。
【図５】光パケットのヘッダ部分のアドレス構造を示す図。
【図６】中継器から次の中継器への光パケットの転送動作を示す図。
【図７】二重化されたリング型ネットワークを示す図。
【図８】二重化されたリング型ネットワークにおいて光伝送路の断線の発生を示す図。
【図９】光伝送路の断線発生時における中継器内部の動作を示す図。
【図１０】従来の光通信システムの中継器による光パケットのスイッチングを説明するための図。
【図１１】従来の中継器の内部構成と、当該中継器内の動作を示す図。
【図１２】従来の光通信システムの中継器による光パケットのブロードキャスト又はマルチキャストを示す図。
【図１３】ブロードキャスト又はマルチキャストにおける従来の中継器内の動作を示す図。
【符号の説明】
【００６５】
１、２、３、４  中継器
５、６、７、８、９、１０、１１、１２  光伝送路
２０、４０、１０１  アドレス認識回路
２１、４１、１０２  光スプリッタ
２２、２３、４２、４３、１０３、１０４  光スイッチ
４６  二重化制御回路
４７、４８  光スイッチ
４９、５０  光カプラ
１００、３００  リング型ネットワーク
１Ｓ  光通信システム
Ｎ１、Ｎ２、Ｎ３、Ｎ４  ネットワーク
【図１】
0004577157.tif 000002
【図２】
0004577157.tif 000003
【図３】
0004577157.tif 000004
【図４】
0004577157.tif 000005
【図５】
0004577157.tif 000006
【図６】
0004577157.tif 000007
【図７】
0004577157.tif 000008
【図８】
0004577157.tif 000009
【図９】
0004577157.tif 000010
【図１０】
0004577157.tif 000011
【図１１】
0004577157.tif 000012
【図１２】
0004577157.tif 000013
【図１３】
0004577157.tif 000014